(57)【要約】【課題】回路部品が発生させる磁束の電子部品への影響を抑制する。【解決手段】レンズを保持する調整群保持枠６０２と、光軸１０１ａを中心として回転可能に配置されたカム筒１０８と、カム筒１０８の内周側に配置され、調整群保持枠６０２と固定される鏡筒５００と、アクチュエータを駆動し、径方向に磁束を発生させる昇圧トランス９０２と、鏡筒５００に対する調整群保持枠６０２の位置を調整するために鏡筒５００に設けられた横溝５００ｂ及び縦溝５００ｃと第１の偏芯コロ６１０及び第２の偏芯コロ６２０を有する調整手段とを備える光学機器の一例であるデジタル一眼レフカメラ１００において、昇圧トランス９０２は、磁束を発生させる方向が光軸方向と平行にならないように、調整手段を避けた周方向の位相で鏡筒５００の外周に配置される。【選択図】図４
2020187232.tif 000002
【特許請求の範囲】
【請求項１】
アクチュエータを備える光学機器であって、
レンズを保持する保持部材と、
光軸を中心として回転可能に配置されたカム筒と、
前記カム筒の内周側に配置され、前記保持部材と固定される鏡筒と、
前記鏡筒に対する前記保持部材の位置を調整する調整手段と、
前記アクチュエータを駆動し、少なくとも径方向に磁束を発生させる回路部品と、を備え、
前記回路部品は、前記磁束の発生する方向が光軸方向と平行にならないように、前記調整手段を避けた周方向の位相で前記鏡筒の外周に配置されていることを特徴とする光学機器。
【請求項２】
前記鏡筒の外周に凹形状部が設けられ、
前記回路部品は、前記カム筒の内周と対向するように前記凹形状部に収納されていることを特徴とする請求項１に記載の光学機器。
【請求項３】
前記調整手段が配置されている領域を光軸に投影した場合の投影領域の一部は、前記回路部品を前記光軸に投影した場合の投影領域と重なることを特徴とする請求項１又は２に記載の光学機器。
【請求項４】
前記調整手段は、
前記鏡筒に設けられた第１の溝および第２の溝と、前記第１の溝に挿入されて前記保持部材に固定される第１の偏芯コロおよび前記第２の溝に挿入されて前記保持部材に固定される第２の偏芯コロとを有し、
前記第１の偏芯コロと前記第１の溝との嵌合により前記保持部材の前記鏡筒に対する径方向の位置が調整され、前記第２の偏芯コロと前記第２の溝との嵌合により前記保持部材の前記鏡筒に対する光軸方向の位置が調整されること特徴とする請求項１乃至３のいずれか１項に記載の光学機器。
【請求項５】
前記保持部材の周方向において前記回路部品が配置された位相と同じ位相で前記保持部材に切欠部が設けられていることを特徴とする請求項１乃至４のいずれか１項に記載の光学機器。
【請求項６】
前記保持部材は、周方向の少なくとも３箇所に前記レンズと嵌合する嵌合部を有し、
前記嵌合部は、前記保持部材の周方向において前記切欠部が設けられている位相とは異なる位相となる位置に設けられていることを特徴とする請求項５に記載の光学機器。
【請求項７】
アクチュエータを備える光学機器であって、
前記アクチュエータを駆動するための回路部品と、
光軸を中心として回転可能なカム筒と、
前記カム筒の内周に配置された鏡筒と、を備える光学機器であって、
前記鏡筒の外周に凹形状部が設けられ、
前記回路部品は、前記カム筒の内周と対向するように前記凹形状部に収納されていることを特徴とする光学機器。
【請求項８】
レンズを保持し、前記鏡筒に固定される保持部材を備え、
前記保持部材の周方向において前記回路部品が配置された位相と同じ位相で前記保持部材に切欠部が設けられていることを特徴とする請求項７に記載の光学機器。
【請求項９】
前記保持部材は、周方向の少なくとも３箇所に前記レンズと嵌合する嵌合部を有し、
前記嵌合部は、前記保持部材の周方向において前記切欠部が設けられている位相とは異なる位相となる位置に設けられていることを特徴とする請求項８に記載の光学機器。
【請求項１０】
前記鏡筒に対する前記保持部材の位置を調整する調整手段と、を備え、
前記回路部品は、前記調整手段を避けた周方向の位相で前記鏡筒の外周に配置されていることを特徴とする請求項８又は９に記載の光学機器。
【請求項１１】
前記調整手段は、
前記鏡筒に設けられた第１の溝および第２の溝と、前記第１の溝に挿入されて前記保持部材に固定される第１の偏芯コロおよび前記第２の溝に挿入されて前記保持部材に固定される第２の偏芯コロとを有し、
前記第１の偏芯コロと前記第１の溝との嵌合により前記保持部材の前記鏡筒に対する径方向の位置が調整され、前記第２の偏芯コロと前記第２の溝との嵌合により前記保持部材の前記鏡筒に対する光軸方向の位置が調整されること特徴とする請求項１０に記載の光学機器。
【請求項１２】
前記保持部材に保持され、前記回路部品の内周側の面と対向する面を有する第１の板金部材を備えることを特徴とする請求項１乃至６、８乃至１１のいずれか１項に記載の光学機器。
【請求項１３】
前記カム筒は金属で形成されていることを特徴とする請求項１乃至１２のいずれか１項に記載の光学機器。
【請求項１４】
前記回路部品は、巻軸方向に磁束を発生させるコイルを有することを特徴とする請求項１乃至１３のいずれか１項に記載の光学機器。
【請求項１５】
前記鏡筒と前記回路部品との間に配置されて前記鏡筒に固定され、少なくとも前記回路部品の内周側の面と対向する第１の面を有する第１の板金部材を備えることを特徴とする請求項１乃至１４のいずれか１項に記載の光学機器。
【請求項１６】
撮像素子を備え、
前記第１の板金部材は、前記撮像素子の撮像面と平行で、前記回路部品において前記撮像素子が配置されている側の面と対向する第２の面を有することを特徴とする請求項１５に記載の光学機器。
【請求項１７】
光軸と平行な実装面を有するフレキシブルプリント配線板を備え、
前記回路部品は前記実装面の内周側に実装されていることを特徴とする請求項１乃至１６のいずれか１項に記載の光学機器。
【発明の詳細な説明】
【技術分野】
【０００１】
本発明は、電源を構成する回路部品を有する光学機器に関する。
【背景技術】
【０００２】
デジタルカメラやビデオカメラ、交換レンズ等の光学機器には、オートフォーカス機能の高速化や静粛性を実現するための駆動装置として振動型アクチュエータ（超音波モータ）を搭載したものがある。振動型アクチュエータの駆動電源には、電池等から供給される電圧を昇圧し、振動型アクチュエータに所定の交流電圧を印加する昇圧トランス等の回路部品が必要とされる。
【０００３】
ここで、昇圧トランスと振動型アクチュエータとの間に流れる高電圧の駆動信号が、他の電子部品や配線にノイズを発生させる場合がある。そこで、例えば特許文献１には、制御部やスイッチング部が実装された保持基板とは異なる位置に昇圧部を配置し、昇圧部と振動型アクチュエータとを近付けて配置した駆動装置が開示されている。このような構成によれば、昇圧トランスと振動型アクチュエータとの間に流れる高電圧の駆動信号の配線を短くすることが可能になることで、誘導ノイズによる撮像素子への影響を小さくすることが可能となる。
【先行技術文献】
【特許文献】
【０００４】
【特許文献１】特開２０１３−１７９７８７号公報
【発明の概要】
【発明が解決しようとする課題】
【０００５】
しかしながら、上記特許文献１に記載された駆動装置では、カム筒の外側に振動型アクチュエータを駆動するための電源回路部品の１つである昇圧トランスが配置されている。昇圧トランスは内部にコイル等の磁気回路を有するため、昇圧トランスを配置する際には、昇圧トランスが発生する磁束が他の電子部品へ影響を与えないようにする必要がある。また、一般的に昇圧トランスは回路部品としては外形が比較的大きいことが多いため、カム筒の外側に昇圧トランスを配置すると、カム筒を包含するレンズ鏡筒全体が大径化してしまうおそれがある。
【０００６】
本発明は、回路部品で発生する磁束の電子部品への影響を低減することが可能な光学機器を提供することを目的とする。また、本発明は、電源回路部品の配置に起因する大型化を抑制することが可能な光学機器を提供することを目的とする。
【課題を解決するための手段】
【０００７】
本発明の係る光学機器は、アクチュエータを備える光学機器であって、レンズを保持する保持部材と、光軸を中心として回転可能に配置されたカム筒と、前記カム筒の内周側に配置され、前記保持部材と固定される鏡筒と、前記鏡筒に対する前記保持部材の位置を調整する調整手段と、前記アクチュエータを駆動し、少なくとも径方向に磁束を発生させる回路部品と、を備え、前記回路部品は、前記磁束の発生する方向が光軸方向と平行にならないように、前記調整手段を避けた周方向の位相で前記鏡筒の外周に配置されていることを特徴とする。
【発明の効果】
【０００８】
本発明によれば、電源回路部品の配置に起因する大型化を抑制した光学機器を提供することができる。
【図面の簡単な説明】
【０００９】
【図１】本発明の実施形態に係るデジタル一眼レフカメラの外観斜視図である。
【図２】カメラ本体と交換レンズの電気的及び光学的な構成を示すブロック図である。
【図３】デジタル一眼レフカメラの概略構成を、交換レンズを繰り込み状態として示す断面図である。
【図４】交換レンズ内に配置されるフォーカス群ユニットの分解斜視図である。
【図５】フォーカス群ユニットの側面図である。
【図６】フォーカス群ユニットの断面図である。
【図７】図６の一部の拡大図である。
【図８】フォーカス群ユニットの別の断面図である。
【発明を実施するための形態】
【００１０】
以下、本発明の実施形態について、添付図面を参照して詳細に説明する。ここでは、本発明に係る光学機器として、所謂、デジタル一眼レフカメラを取り上げることとする。但し、本発明は、デジタル一眼レフカメラに限定されるものではない。
【００１１】
図１は、本発明の実施形態に係るデジタル一眼レフカメラ１００の外観斜視図であり、図１（ａ）は正面側から見た図であり、図１（ｂ）は背面側から見た図である。デジタル一眼レフカメラ１００は、カメラ本体１と、カメラ本体１に対して着脱可能な交換レンズ１０１（レンズ鏡筒）を備える。
【００１２】
なお、説明の便宜上、図１に示すように、交換レンズ１０１が収容する撮像光学系（不図示）の光軸と平行なＸ軸方向と規定する。そして、Ｘ軸が水平方向と平行であるときに、水平面内でＸ軸と直交する方向をＺ軸方向とし、鉛直方向と平行な方向をＹ軸方向とする。また、Ｚ軸まわりの回転方向をピッチ（Ｐｉｔｃｈ）方向とし、Ｙ軸まわりの回転方向をヨー（Ｙａｗ）方向とする。
【００１３】
カメラ本体１の内部には、交換レンズ１０１内の撮像光学系により形成される被写体像を光電変換（撮像）する撮像素子１６（図２及び図３参照）が設けられている。デジタル一眼レフカメラ１００を正面側から見たときのカメラ本体１の左側には、ユーザがカメラ本体１を手で把持するためのグリップ部２が設けられている。カメラ本体１の上面部には、電源操作部３、モードダイアル４、レリーズボタン５及びアクセサリシュー６が設けられている。
【００１４】
電源操作部３は、カメラ本体１の電源のオン状態とオフ状態とを切り替える。モードダイアル４の回転操作に応じて、撮像モードが切り替わる。撮像モードには、シャッタ速度や絞り値等の撮像条件を任意に設定可能なマニュアル静止画撮像モード、自動で適正な露光量が得られるオート静止画撮像モード、動画撮像を行うための動画撮像モード等があるが、これらは一例である。レリーズボタン５が半押し操作されると、カメラ本体１に内蔵されているカメラ制御部１２（図２参照）が、オートフォーカスや自動露出制御等の撮像準備動作を開始する。レリーズボタン５が全押し操作されると、カメラ制御部１２は撮像動作を実行する。アクセサリシュー６には、外部ストロボ装置や外部ファインダ装置（ＥＶＦ）等のアクセサリの着脱が可能となっている。
【００１５】
交換レンズ１０１は、レンズマウント１０２を介して、カメラ本体１に設けられたカメラマウント７に機械的に且つ電気的に接続される。交換レンズ１０１の内部には、被写体からの光を撮像素子１６に結像させる撮像光学系が収容されている。交換レンズ１０１の外周には光軸まわりに回転可能なズーム操作環１０３が設けられている。ユーザがズーム操作環１０３を回転操作する際に手が滑ることがないように、ズーム操作環１０３の外周部はローレット形状に形成されている。ズーム操作環１０３が回転操作されると、交換レンズ１０１内の撮像光学系を構成するズーム群がズーム操作環１０３の回転角度に対応した光学位置へと移動して、撮像画角が変化する。
【００１６】
カメラ本体１の背面には、背面操作部８と表示部９が設けられている。背面操作部８は、様々な機能が割り当てられた複数のボタンやダイアルを含む。表示部９は、撮像素子１６により撮像されている被写体像のスルー画像、撮像された画像を再生したときの再生画像、デジタル一眼レフカメラ１００の動作条件等の各種設定を行うためのメニュー等が表示される。ユーザは、表示部９での表示を見ながら背面操作部８を操作することによって、撮像パラメータの設定値を変更することができる。また、背面操作部８は、記憶部１３（図２参照）に記憶された撮影画像の再生を指示するための再生ボタンを含み、再生ボタンが押下されると、撮影画像が表示部９に表示される。
【００１７】
図２は、カメラ本体１と交換レンズ１０１の電気的及び光学的な構成を示すブロック図である。カメラ本体１は、アクセサリシュー６、表示部９、電源部１０、操作部１１、カメラ制御部１２、記憶部１３、シャッタユニット１４、シャッタ駆動部１５、撮像素子１６、画像処理部１７及び焦点検出部１８を有する。交換レンズ１０１は、ズーム操作環１０３、レンズ制御部１０４、電気接点１０５、ズーム検出部１０６、第１のズーム群２０１、レンズ防振群３０１、防振駆動部３０２、絞り４０１、絞り駆動部４０２、フォーカス群５０１及びフォーカス駆動部５０２を有する。なお、図１と図２では共通する要素に同じ符号を付しており、図１を参照して説明済みの要素については、ここでの説明を省略する。
【００１８】
電源部１０は、カメラ本体１と交換レンズ１０１に電力を供給する。操作部１１は、電源操作部３、モードダイアル４、レリーズボタン５、背面操作部８及び表示部９のタッチパネル機能を含む。シャッタユニット１４は、交換レンズ１０１内の撮像光学系を通過して撮像素子１６に照射される光量（露光量）を制御する。撮像素子１６は、具体的にはＣＭＯＳセンサ等であり、撮像光学系により形成された被写体像を光電変換して撮像信号を出力する。画像処理部１７は、撮像信号に対して各種の画像処理を行うことにより画像信号（画像データ）を生成する。生成された画像データは、記憶部１３に記憶される。焦点検出部１８は、画像処理部１７で生成された画像信号を用いて、撮像素子１６に結像した被写体像の焦点状態を判定し、焦点信号を生成してカメラ制御部１２へ送信する。
【００１９】
カメラ制御部１２は、カメラ本体１に設けられた各ブロックの動作を統括的に制御する。また、レンズ制御部１０４は、交換レンズ１０１に設けられた各ブロックの動作を統括的に制御する。カメラ制御部１２とレンズ制御部１０４との相互通信により、デジタル一眼レフカメラ１００の全体的な動作が制御される。その際、カメラ制御部１２とレンズ制御部１０４は、レンズマウント１０２に設けられた電気接点１０５の通信端子及びカメラマウント７に設けられた電気接点の通信端子を介して、各種の制御信号やデータ等の通信を行う。なお、電気接点１０５は、電源部１０からの電力を交換レンズ１０１に供給する電源端子を含む。
【００２０】
記憶部１３は、カメラ制御部１２が実行するコンピュータプログラムや、コンピュータプログラムの実行に必要なパラメータを記憶し、また、撮影画像（静止画像データ、動画像データ）を記憶する。カメラ制御部１２は、記憶部１３に格納されているコンピュータプログラムを読み出して実行する。
【００２１】
ピッチ振れ検出部１９とヨー振れ検出部２０は、手振れ等の像振れを検出する。ピッチ振れ検出部１９とヨー振れ検出部２０はそれぞれ、不図示の角速度センサ（振動ジャイロ）や角加速度センサを用いて、ピッチ方向（Ｚ軸まわりの回転方向）及びヨー方向（Ｙ軸まわりの回転方向）の像振れを検出し、振れ検出信号を出力する。カメラ制御部１２は、ピッチ振れ検出部１９からの振れ検出信号を用いてレンズ防振群３０１のＹ軸方向でのシフト位置を算出する。同様に、カメラ制御部１２は、ヨー振れ検出部２０からの振れ信号を用いてレンズ防振群３０１のＺ軸方向でのシフト位置を算出する。カメラ制御部１２は、算出したピッチ方向とヨー方向のシフト位置に応じて、レンズ防振群３０１を目標位置へ駆動し、露光中やスルー画像表示中の像振れを低減する防振動作を行う。
【００２２】
第１のズーム群２０１、レンズ防振群３０１及びフォーカス群５０１は、交換レンズ１０１での撮像光学系を構成する。なお、交換レンズ１０１の撮像光学系の詳細については後述する。第１のズーム群２０１は、ズーム操作環１０３と連結され、ズーム操作環１０３の回転角度に応じて光軸方向に移動し、これにより撮像画角が変化する。
【００２３】
ズーム検出部１０６は、例えば、抵抗式のリニアポテンショメータを用いて構成されており、ズーム操作環１０３の回転角を絶対値として検出する。ズーム検出部１０６によって検出された画角情報はレンズ制御部１０４に送信され、レンズ制御部１０４からカメラ制御部１２へ送信されて、カメラ制御部１２による各種の制御に用いられる。画角情報の一部は、撮影画像と共に記憶部１３に記憶される。
【００２４】
レンズ防振群３０１は、像振れを低減する防振素子としてのシフトレンズを含む。防振駆動部３０２は、シフトレンズを光軸と直交するＺ軸方向及びＹ軸方向に変位（シフト）させて、像振れを低減する防振動作を行う。絞り群４０１は、撮像光学系を通過する光量を調整する。絞り駆動部４０２は、絞り群４０１を駆動する。フォーカス群５０１は、光軸方向に移動可能に配置されたフォーカスレンズを含む。フォーカス駆動部５０２は、フォーカスレンズを光軸方向に移動させることにより焦点調節（合焦動作）を行う。フォーカス駆動部５０２は、フォーカスレンズを光軸方向に移動させる後述の振動型アクチュエータと、振動型アクチュエータを駆動するための駆動回路から構成される。
【００２５】
デジタル一眼レフカメラ１００では、操作部１１から指示された絞り値やシャッタ速度に応じて、カメラ制御部１２は、シャッタ駆動部１５を介してシャッタユニット１４の駆動を制御する。また、レンズ制御部１０４は、絞り駆動部４０２を介して絞り群４０１の駆動を制御する。カメラ制御部１２が操作部１１での撮像準備動作（レリーズボタン５の半押し操作）を検出すると、カメラ制御部１２の指示に基づいてレンズ制御部１０４がフォーカス駆動部５０２を制御し、フォーカス群５０１を駆動する。例えば、オートフォーカス動作が指示された場合、焦点検出部１８は、画像処理部１７で生成された画像信号に基づいてデフォーカス量を検出し、検出したデフォーカス量をカメラ制御部１２へ送信する。これと同時に、レンズ制御部１０４は、フォーカス駆動部５０２によりフォーカス群５０１の現在位置を検出し、その検出信号をカメラ制御部１２へ送信する。
【００２６】
カメラ制御部１２は、被写体像の焦点状態とフォーカス群５０１の現在位置とのずれ量からフォーカス駆動量（フォーカス群５０１の移動量）を算出し、算出したフォーカス駆動量をレンズ制御部１０４へ送信する。レンズ制御部１０４は、受信したフォーカス駆動量に従ってフォーカス駆動部５０２を制御することにより、フォーカス群５０１を目標位置へ移動させる。これにより、被写体像の焦点ずれが補正される。自動露出制御の動作が指示されている場合、カメラ制御部１２は、画像処理部１７で生成された輝度信号に基づいて測光演算を行い、測光演算結果に基づき、操作部１１（レリーズボタン５）の撮像指示操作（全押し操作）に応じて絞り群４０１の駆動を制御する。これと同時に、カメラ制御部１２は、シャッタ駆動部１５を介してシャッタユニット１４の駆動を制御し、撮像素子１６による露光処理を行う。
【００２７】
次に、交換レンズ１０１とカメラ本体１における構成部品の位置関係について説明する。図３は、デジタル一眼レフカメラ１００の概略構成を、交換レンズ１０１の光軸１０１ａを含み、Ｙ軸と平行な断面で表した断面図であり、交換レンズ１０１は繰り込み状態となっている。なお、図３に示す構成部品のうち、図１又は図２を参照して説明済みのものについては、同じ符号を付して説明を省略する。
【００２８】
撮像光学系は、第１のズーム群２０１、第２のズーム群２０２、調整群６０１、第６のズーム群２０６、レンズ防振群３０１、フォーカス群５０１及び絞り群４０１を有する。絞り群４０１とレンズ防振群３０１は第３のズーム群として機能し、フォーカス群５０１は第５のズーム群として機能する。画角に応じた所定の光学位置へ移動した各ズーム群は、被写体からの光を撮像素子１６の撮像面上に結像させる。
【００２９】
調整群６０１は、第４のズーム群として配置されているレンズ群である。調整群６０１は、意図的に光学的な位置をずらして固定されることで、撮像光学系全体の光学性能を維持する役割を担う。撮像光学系全体の光学性能の状態を確認しながら調整群６０１を所望の位置に移動させることにより、光学性能の低下の原因となる、各構成部品に生じる製造誤差や組立ばらつき等の影響をキャンセルすることができる。
【００３０】
なお、本実施形態では、交換レンズ１０１の撮像光学系は６群構成となっているが、撮像光学系の構成はこれに限られない。例えば、レンズ防振群３０１やフォーカス群５０１は第２のズーム群として機能するものであってもよく、また、一部のレンズ群は光軸方向（Ｘ軸方向）において固定されていても構わない。
【００３１】
交換レンズ１０１は、直進案内筒１０７とカム筒１０８を有する。直進案内筒１０７は、不図示の固定筒を介してレンズマウント１０２に固定される。直進案内筒１０７の外周面には、等分位置に不図示のバヨネット爪が配置されている。カム筒１０８は、直進案内筒１０７の外周側に配置されて、ズーム操作環１０３と連結されている。カム筒１０８は、導電性材料（具体的には金属材料）で形成されており、詳細は後述するが、これにより昇圧トランス９０２（図４参照）で発生してカム筒１０８を貫通する磁束を低減させることができる。カム筒１０８の内周面には、直進案内筒１０７のバヨネット爪と係合する不図示の周溝が設けられている。周溝内とバヨネット爪とが係合しているため、ズーム操作環１０３が回転操作されると、カム筒１０８は光軸１０１ａを中心として回転する。
【００３２】
直進案内筒１０７には、回転を規制しながら光軸方向へ各ズーム群を直進させるための直進案内溝が形成されている。一方、カム筒１０８には、各ズーム群を光軸方向に移動させるためのカム溝が、カム筒１０８の回転方向に対して所定の角度をなすように形成されている。第１のズーム群から第６のズーム群までの各ズーム群はそれぞれカムフォロアを有しており、各カムフォロアは、対応する直進案内溝とカム溝に係合している。ズーム操作環１０３が回転操作されるとカム筒１０８が回転し、各ズーム群に設けられたカムフォロアが直進案内筒１０７に設けられた直進案内溝内を移動することで各ズーム群は光軸方向で進退する。
【００３３】
次に、フォーカス群５０１を含むフォーカス群ユニットの構成について説明する。図４は、フォーカス群ユニット５５０の分解斜視図である。フォーカス群ユニット５５０は、鏡筒５００と、鏡筒５００の内部に収納される調整群ユニット６６０を備える。鏡筒５００の上面には、フォーカス駆動部５０２の一部を構成するアクチュエータとして、直動型の振動型アクチュエータ５０７が搭載されている。なお、鏡筒５００の上面とは、図１において、Ｘ軸とＺ軸が水平面内にある場合のＹ軸正方向側の面を指す。
【００３４】
振動型アクチュエータ５０７は、光軸方向に長軸を有し、つまり、光軸方向を長手方向とする形状を有し、レンズ制御部１０４からの指示に従って、連結部材（不図示）を介してフォーカス群５０１を光軸方向に移動させる。振動型アクチュエータ５０７は、振動体を有する可動部５０８と、摩擦部材を有する固定部５０９を有する。振動体は、固定部５０９と接触する摩擦接触部を備える板状の弾性体と、弾性体に接着剤等で固定された圧電素子とを有する。
【００３５】
弾性体は、摩擦接触部において摩擦部材と所定の加圧力で接触している。圧電素子には、フレキシブルプリント配線板９０１を介して回路部品が電気的に接続されている。圧電素子に対して駆動信号として所定周波数の二相の交流電圧を印加することにより、振動体に共振現象を生じさせて、摩擦接触部に楕円運動を生じさせることができる。この楕円運動は、固定部５０９の摩擦接触部に対する振動体の摩擦接触部の加圧方向と平行な方向と、光軸方向と平行な方向とを含む面内で発生する。摩擦接触部が摩擦部材に対して推力（摩擦駆動力）を与えたときに摩擦接触部が摩擦部材から受ける反力により、振動体を有する可動部５０８が光軸方向に移動する。圧電素子に印加される二相の交流電圧の周波数や位相を変えることで、楕円運動の回転方向や楕円比を調整することができる。レンズ制御部１０４は、振動体に励起する振動を制御して、フォーカス群５０１を目標位置まで駆動する。
【００３６】
フォーカス駆動部５０２は、比較的高い周波数の駆動パルスを発生させ、この駆動パルスによって電源回路のスイッチングを行う。フォーカス駆動部５０２の電源を構成する回路部品の１つである昇圧トランス９０２は、圧電素子に印加する交流電圧を生成する。昇圧トランス９０２は、電源部１０からレンズ制御部１０４に供給される電圧よりも高い電圧を出力する。なお、昇圧トランス９０２の用途は、振動型アクチュエータ５０７を駆動するための交流電圧の生成に限定されない。例えば、レンズ群を駆動するアクチュエータの一例としてステッピングモータが用いられている場合には、昇圧トランス９０２はステッピングモータを駆動する電源回路の一部であっても構わない。
【００３７】
図５は、フォーカス群ユニット５５０の側面図である。図６は、光軸１０１ａと直交し、且つ、昇圧トランス９０２を切断する平面を、被写体側（不図示）から見た断面図である。図７は、図６に示す昇圧トランス９０２の周辺の拡大図である。
【００３８】
鏡筒５００は、略円筒形状を有し、側壁部に内周側から外周側へ向けて開口が広がるようにして形成された凹形状部５００ａを有する。昇圧トランス９０２は、鏡筒５００の外周に設けられた凹形状部５００ａに収納されている。
【００３９】
フレキシブルプリント配線板９０１は、撮像素子１６の撮像面と直交する（光軸と略平行な）実装面９０１ａを有する。昇圧トランス９０２は、交換レンズ１０１の径方向において、実装面９０１ａの内周側に実装される。一般的に、実装面９０１ａに必要となる実装面積は、実装される回路部品の実装面９０１ａへの投影面積よりも広い。ここで、凹形状部５００ａは、内周側から外周側へ向けて開口が広がるようにして形成されており、そのため、径方向の外周に向かうほどスペースの確保が容易である。本実施形態では、昇圧トランス９０２を内周側に配置し、より広い面積が必要となる実装面９０１ａを外周側に配置する構成としている。
【００４０】
フレキシブルプリント配線板９０１を介して昇圧トランス９０２に電力を供給されると、昇圧トランス９０２の内部のコイルの巻軸方向に磁束が発生する。図６及び図７に示すように、昇圧トランス９０２では、昇圧トランス９０２の厚み方向である矢印９０２ａ方向に磁束が発生している例を示している。昇圧トランス９０２で発生した磁束の変動が磁気ノイズとして撮像素子１６から出力される撮像信号に重畳してしまうと、画質を劣化させることがある。つまり、磁気ノイズが撮像素子１６に到達すると、撮像信号を取り出す画素電荷情報の信号線を高周波で変化させる磁界が貫通する。これにより、信号線内で電磁誘導による磁気が発生してしまい、その結果、画素電荷情報の信号線にノイズが発生することになる。
【００４１】
このような問題の発生を回避するために本実施形態では、昇圧トランス９０２の配置を工夫して、昇圧トランス９０２で発生する磁束が撮像面と直交しない（磁束が発生する方向が光軸方向と平行にならない）構成としている。具体的には、昇圧トランス９０２が発生させる磁束は、図６及び図７に示す矢印９０２ａ方向を向く。そのため、矢印９０２ａ方向が光軸１０１ａを向く（矢印９０２ａ方向が光軸１０１ａと直交する平面と略平行となる）ように、鏡筒５００の外周に設けられた凹形状部５００ａに昇圧トランス９０２を配置している。
【００４２】
また、前述の通り、カム筒１０８を金属等の導電性材料で構成しているため、矢印９０２ａ方向において、カム筒１０８の外周側から漏れ出る磁束を低減させることができる。つまり、昇圧トランス９０２で発生する磁束はカム筒１０８を通過する際に磁束密度に変化が生じると、カム筒１０８が導電性材料で形成されているために、電磁誘導により渦電流が発生する。その結果、カム筒１０８を貫通する磁束が減少することで、磁気ノイズを低減させることが可能となる。
【００４３】
フォーカス群ユニット５５０は、図４に示されるように、板金部材５０５（第２の板金部材）を備える。板金部材５０５、金属板を加工したものであり、鏡筒５００の外周に設けられた凹形状部５００ａと、凹形状部５００ａに収納して配置される昇圧トランス９０２との間に配置される。
【００４４】
板金部材５０５は、鏡筒５００の機械的強度を高める効果を奏する。つまり、鏡筒５００は、凹形状部５００ａが形成されることによって一部の肉厚が薄くなり、また、機械的強度の観点から構造的に不利な形状になる場合があり、これらは剛性低下の要因となる。そこで、板金部材５０５を凹形状部５００ａに配置して不図示の螺子や接着剤等で強固に鏡筒５００に固定することによって、鏡筒５００の剛性低下を抑制することができる。また、板金部材５０５を昇圧トランス９０２の厚み方向の内周側に配置することによって、昇圧トランス９０２から矢印９０２ａ方向に発生する磁束の一部を遮ることができる。その結果、板金部材５０５を貫通する磁束が減少するため、撮像素子１６に対する磁気ノイズを低減させることが可能となる。
【００４５】
ところで、昇圧トランス９０２は略直方体形状を有する回路部品であり、少なくとも光軸１０１ａ側（内径側）の面９０２ｂと、撮像素子１６が配置される側の面９０２ｃを有する。このような昇圧トランス９０２の形状に応じて、板金部材５０５は、面９０２ｂに対向する第１の面５０５ｂと、面９０２ｃに対向する第２の面５０５ｃとを有している。これにより、昇圧トランス９０２で発生する磁束は、光軸１０１ａに向かう方向（矢印９０２ａ方向）では第１の面５０５ｂにより遮られ、撮像素子１６が配置される方向（光軸方向）では第２の面５０５ｃに遮られる。その結果、撮像素子１６への磁気ノイズの影響を軽減することができる。
【００４６】
次に、調整群ユニット６６０の構成と、調整群ユニット６６０の鏡筒５００への装着の態様について、図４乃至図８を参照して説明する。図８は、光軸１０１ａと直交し、且つ、昇圧トランス９０２を切断する平面を、撮像素子１６側（不図示）から見た断面図である。但し、図６と図８とでは切断面（光軸方向での切断位置）は異なる。
【００４７】
調整群ユニット６６０は、調整群６０１、調整群保持枠６０２及び遮光板金６０３（第１の板金部材）を含む（図４参照）。先ず、調整群ユニット６６０を取り付けるための鏡筒５００の構成について説明する。鏡筒５００の側壁部には、内周側から外周側へ貫通する複数の調整穴が形成されている。図５に示すように、調整穴は、光軸方向を長手方向とする横溝５００ｂ（第１の溝）と、周方向を長手方向とする縦溝５００ｃ（第２の溝）とを一対（一組）とする。一対の横溝５００ｂと縦溝５００ｃは、光軸方向に沿って、且つ、不図示の箇所も含めて周方向に１２０°の間隔で３箇所に、昇圧トランス９０２や振動型アクチュエータ５０７とは異なる位相で設けられている。
【００４８】
横溝５００ｂには第１の偏芯コロ６１０が挿入され、縦溝５００ｃには第２の偏芯コロ６２０が挿入されている。横溝５００ｂ及び縦溝５００ｃと第１の偏芯コロ６１０及び第２の偏芯コロ６２０は、後述するように、調整群６０１を保持する保持部材である調整群保持枠６０２の位置を鏡筒５００に対して調整するための調整手段を構成する。
【００４９】
図５に示すように、第１の偏芯コロ６１０と第２の偏芯コロ６２０との組み合わせの一部（横溝５００ｂと縦溝５００ｃの組み合わせの一部）は、光軸１０１ａ方向において昇圧トランス９０２と重なっている。換言すれば、第１の偏芯コロ６１０と第２の偏芯コロ６２０が配置されている領域を光軸１０１ａに投影したときの投影領域の一部が、昇圧トランス９０２を光軸１０１ａに投影したときの投影領域と重なる。これは、前述したように昇圧トランス９０２の位相と第１の偏芯コロ６１０及び第２の偏芯コロ６２０の組み合わせの位相とを異ならせることによって実現可能となる。そして、これにより、フォーカス群ユニット５５０の全長を短縮させることが可能になるという効果が得られる。
【００５０】
第１の偏芯コロ６１０と第２の偏芯コロ６２０はそれぞれ、螺子の貫通穴と同軸である第１の円筒部と、中心が円筒部とずれた位置に偏芯している第２の円筒部を有する。第１の偏芯コロ６１０と第２の偏芯コロ６２０はそれぞれ、鏡筒５００の側壁部に形成された調整穴に嵌め込まれた状態で、調整群ユニット６６０（具体的には、調整群保持枠６０２）に対して螺子で固定される。第１の偏芯コロ６１０と第２の偏芯コロ６２０のそれぞれに摺り割り部が設けられており、工具を嵌合して回転させることができる。よって、例えば、フォーカス群ユニット５５０が組みあがった段階で結像等の光学性能の状態を確認しながら、第１の偏芯コロ６１０と第２の偏芯コロ６２０を回転させると、調整群ユニット６６０全体を移動させて、所望の調整状態とすることができる。
【００５１】
調整群ユニット６６０は、第１の偏芯コロ６１０と横溝５００ｂとの嵌合により鏡筒５００に対して径方向の位置が決まり、第２の偏芯コロ６２０と縦溝５００ｃとの嵌合により鏡筒５００に対して光軸方向の位置が決まるように構成されている。調整群ユニット６６０の光軸方向への移動は第２の偏芯コロ６２０によって規制されているため、第１の偏芯コロ６１０を回転させると、調整群ユニット６６０は光軸１０１ａに対して平行に偏芯する方向に調整される。一方、調整群ユニット６６０の周方向への移動が第１の偏芯コロ６１０によって規制されているため、第２の偏芯コロ６２０を回転させると、調整群ユニット６６０は光軸１０１ａに対して倒れる方向に調整される。こうして、フォーカス群ユニット５５０では、第１の偏芯コロ６１０と第２の偏芯コロ６２０とを使い分けることによって、調整群ユニット６６０の偏芯調整と倒し調整を独立して行うことが可能となっている。
【００５２】
調整群ユニット６６０を構成する調整群保持枠６０２には、図８に示すように、昇圧トランス９０２が配置される位相において切欠部６０２ａが設けられている。切欠部６０２ａを設けることにより、調整群保持枠６０２と昇圧トランス９０２とを鏡筒５００の径方向の限られたスペースに配置することが容易となる。
【００５３】
また、調整群保持枠６０２には、周方向において等間隔に３箇所に（光軸まわりに１２０°間隔で）嵌合部６０２ｂが形成されている。調整群保持枠６０２は、調整群６０１を高精度に圧入保持する。そのため、仮に昇圧トランス９０２を配置する（昇圧トランス９０２を避ける）ための切欠部６０２ａが形成されている位相と同じ位相で調整群６０１を圧入保持すると、調整群保持枠６０２の比較的強度が弱い位相で調整群６０１が嵌合することとなる。この場合には光学性能が低下するおそれがあるため、この問題の発生を回避する観点から、調整群保持枠６０２では、周方向において切欠部６０２ａと嵌合部６０２ｂを設ける位相を異ならせている。
【００５４】
調整群保持枠６０２に取り付けられている遮光板金６０３は、調整群６０１のコバを覆い隠す役割を担う。遮光板金６０３は、導電性材料（具体的には、金属板）で形成されており、昇圧トランス９０２の内径側の面９０２ｂと対向する遮蔽面６０３ａを有する。遮蔽面６０３ａは鏡筒５００の径方向において板金部材５０５の内周側に配置されており、これにより、昇圧トランス９０２から矢印９０２ａ方向に発生する磁束の一部を遮ることができる。その結果、板金部材５０５を貫通して漏れ出てくる磁束を更に低減させることができるため、撮像素子１６に対する磁気ノイズの影響を更に小さくすることが可能となっている。
【符号の説明】
【００５５】
１    カメラ本体
１６    撮像素子
１００    デジタル一眼レフカメラ
１０１    交換レンズ
１０８    カム筒
５００    鏡筒
５００ａ    凹形状部
５００ｂ    横溝
５００ｃ    縦溝
５０１    フォーカス群
５０５    板金部材
５０７  振動型アクチュエータ
５５０  フォーカス群ユニット
６０１    調整群
６０２    調整群保持枠
６０２ａ    切欠部
６０３    遮光板金
６１０    第１の偏芯コロ
６２０    第２の偏芯コロ
６６０    調整群ユニット
９０１    フレキシブルプリント配線板
９０２    昇圧トランス
【図１】
2020187232.tif 000003
【図２】
2020187232.tif 000004
【図３】
2020187232.tif 000005
【図４】
2020187232.tif 000006
【図５】
2020187232.tif 000007
【図６】
2020187232.tif 000008
【図７】
2020187232.tif 000009
【図８】
2020187232.tif 000010